(57)【特許請求の範囲】
【請求項１】
ブレーキ操作に応じて、機械式ブレーキのブレーキシリンダへの油圧を制御するブレーキ油圧制御装置であって、
前記ブレーキ操作に応動してブレーキ指令油圧を発生する指令油圧発生手段と、
前記ブレーキシリンダへの制御油圧を減圧するための減圧指令油圧を出力する電磁比例バルブと、
前記ブレーキ指令油圧と減圧指令油圧とに基づいて供給油圧を調整した制御油圧を、前記ブレーキシリンダへ出力するリレーバルブと、
車両状態に応じた指令値を前記電磁比例バルブへ出力し、この指令値に基づいて前記制御油圧を減圧させる制御手段と、
前記制御手段からの指令値に拘わらず、前記減圧指令油圧の減圧量を制限する減圧指令制限手段と、を備えることを特徴とするブレーキ油圧制御装置。
【請求項２】
前記リレーバルブは、前記ブレーキ指令油圧を受けて開動作し、
前記電磁比例バルブは、前記指令値に基づいて前記リレーバルブを閉じ側に動作させる前記減圧指令油圧を出力する、請求項１に記載のブレーキ油圧制御装置。
【請求項３】
前記減圧指令制限手段は、前記電磁比例バルブからリレーバルブへの減圧指令油圧の供給路に接続されたリリーフバルブである、請求項１に記載のブレーキ油圧制御装置。
【請求項４】
前記減圧指令制限手段は、油圧を供給する油圧源から電磁比例バルブへの供給油圧を所定圧以下に制限するものである、請求項１に記載のブレーキ油圧制御装置。
【請求項５】
前記減圧指令制限手段は、前記油圧源から電磁比例バルブへの油圧の供給路に介設された減圧バルブである、請求項４に記載のブレーキ油圧制御装置。
【請求項６】
前記油圧源の油圧を調整するためのアンロードバルブをさらに備え、
前記アンロードバルブのドレン側と前記電磁比例バルブとが接続され、
前記リリーフバルブが、前記アンロードバルブと前記電磁比例バルブとの油圧回路に接続されている、請求項４に記載のブレーキ油圧制御装置。
【請求項７】
前記減圧指令制限手段は、前記電磁比例バルブからリレーバルブへの減圧指令油圧の供給路に介設された遮断バルブであり、
前記遮断バルブは、前記指令油圧が所定圧以上になると前記供給路を遮断する、請求項１に記載のブレーキ油圧制御装置。
【請求項８】
走行駆動系に電動発電機を含む車両に搭載可能であり、
前記制御手段は、前記電動発電機の発電動作によって前記車両の走行による運動エネルギを回生するときに、前記制御油圧を減圧させる、請求項１に記載のブレーキ油圧制御装置。
【請求項９】
前記電動発電機に接続された蓄電器をさらに備える車両に搭載可能であり、
前記制御手段は、前記車両の走行速度と前記蓄電器の蓄電量とに応じて指令値を前記電磁比例バルブへ出力し、この指令値に基づいて前記制御油圧を減圧させる、請求項８に記載のブレーキ油圧制御装置。
【発明の詳細な説明】
【技術分野】
【０００１】
本発明は、例えば電気自動車やハイブリッド自動車等における回生ブレーキと機械式ブレーキとの協調制御に関連し、特に電気系統の故障に対応するフェールセーフの技術に係る。
【背景技術】
【０００２】
従来より、走行駆動用の電動モータ（電動発電機）を備えた電気自動車やハイブリッド自動車においては、例えば特許文献１に記載のように車両の減速時に運動エネルギを回生して、電動モータを発電動作させるようにしている。この際、その回生制動力の分は機械式ブレーキによる制動力を低下させて、両者を併せたトータルの制動力が乗員のブレーキ操作に見合ったものとなるように、いわゆる協調制御を行うことになる。
【０００３】
具体的に、同文献に記載の制動制御装置では、ブレーキペダルの操作量から目標制動力と目標回生制動力とを決定し、電動モータによる回生制動力を制御するとともに、車両の減速度から求められる実際の回生制動力と前記目標制動力との偏差に応じて電磁バルブの開度を制御し、機械式ブレーキのブレーキシリンダへ供給する油圧を減圧するようにしている。
【０００４】
但し、そうして電磁バルブによりブレーキシリンダへの供給油圧を制御するようにした場合、例えば電気系統の故障によって電磁バルブが誤作動し、ブレーキシリンダへの供給油圧が低くなり過ぎると、乗員の操作に見合った十分な制動力が得られなくなる。
【０００５】
この点につき特許文献２には、マスタシリンダの発生するブレーキ油圧を電磁バルブにより減圧して、ブレーキシリンダに伝達するようにした油圧制御装置において、その電磁バルブに弁体をバイパスする油路を設けるとともに、この油路にチェックバルブを介設することが開示されている。こうすると、弁体が弁座に固着したときにはチェックバルブが開いて、一次側のブレーキ油圧が二次側に伝達されるようになる。
【０００６】
このことで、電磁バルブの弁体固着の故障時にもブレーキの動作を確保できるとともに、前記のように過大な減圧指令が出されて電磁バルブが誤作動した場合でも、乗員がブレーキペダルを踏み込んで一次側の油圧が上昇すれば、前記の弁体の固着時と同様にこれをバイパスする油路によってブレーキ油圧が二次側に伝達されるようになり、機械式ブレーキが動作するものと考えられる。
【先行技術文献】
【特許文献】
【０００７】
【特許文献１】特開平０８−１６３７０７号公報
【特許文献２】特開平１１−３０１４３９号公報
【発明の概要】
【発明が解決しようとする課題】
【０００８】
しかしながら、前記特許文献２に記載の減圧バルブは、車両の乗員によるブレーキペダルの踏み操作に応じて、マスタシリンダの発生するブレーキ油圧を減圧して直接、ブレーキシリンダに伝達する。そのため、乗用車のように比較的容量の小さなブレーキシステムには適用できても、例えばホイールローダのように容量の大きなブレーキシステムには適用できない。
【０００９】
そこで、本発明の目的は、大容量のブレーキシステムにも適用できるとともに、たとえ電気系統が故障しても、ブレーキ操作に応じて必要な制動力が得られるブレーキ油圧制御装置を提供することにある。
【課題を解決するための手段】
【００１０】
かかる目的を達成するために本発明では、ブレーキ操作に対応するブレーキ指令油圧とこれに対抗する減圧指令油圧とに応じて、リレーバルブからブレーキシリンダへ制御油圧を出力させるように構成した上で、電気系統が故障したときにも減圧指令油圧があまり増大しないように制限したものである。
【００１１】
具体的に本発明は、ブレーキ操作に応じて機械式ブレーキのブレーキシリンダへの油圧を制御するブレーキ油圧制御装置が対象である。そして、前記ブレーキ操作に応動してブレーキ指令油圧を発生する指令油圧発生手段と、前記ブレーキシリンダへの制御油圧を減圧するための減圧指令油圧を出力する電磁比例バルブと、前記ブレーキ指令油圧と減圧指令油圧とに基づいて供給油圧を調整した制御油圧を、前記ブレーキシリンダへ出力するリレーバルブと、車両状態に応じた指令値を前記電磁比例バルブへ出力し、この指令値に基づいて前記制御油圧を減圧させる制御手段と、この制御手段からの指令値に拘わらず、前記減圧指令油圧の減圧量を制限する減圧指令制限手段と、を備えるものである。
【００１２】
このように構成されたブレーキ油圧制御装置を、例えばホイールローダのような車両のブレーキ油圧系に用いた場合、基本的には、乗員のブレーキ操作に応動して指令油圧発生手段がブレーキ指令油圧を発生する。そして、減圧指令油圧が零であればリレーバルブが前記ブレーキ指令油圧に応じて供給油圧を調整し、乗員のブレーキ操作に対応する制御油圧をブレーキシリンダへ供給する。この制御油圧を受けてブレーキシリンダは、乗員のブレーキ操作に見合った制動力を発生するようになる。
【００１３】
一方、例えば車両の走行駆動系に電動発電機が含まれていてる場合に、この電動発電機を発電動作させて運動エネルギを回生するときには、制御手段から前記電磁比例バルブへ車両状態（一例として車両の走行速度や蓄電器の蓄電量）に応じた指令値が入力し、ここから出力される減圧指令油圧によって前記リレーバルブからの制御油圧が減圧される。この減圧分はブレーキシリンダの発生する制動力が減少するので、その分、回生制動量を増大させて効果的にエネルギ回生を行うことが可能になる。
【００１４】
ここで、前記制御手段を含めた電気系統の故障等によって前記電磁比例バルブに過大な指令値が入力した場合、これに応じて電磁比例バルブから過度に大きな減圧量の減圧指令油圧が出力されるおそれがあるが、この減圧量が減圧指令制限手段によって、電気指令の大きさに拘らず制限されるから、これを受けるリレーバルブからの制御油圧が過度に減圧されることはない。よって、電気系統が故障したとしても必要な制動力を確保することができる。
【００１５】
一例として前記リレーバルブは、前記ブレーキ指令油圧をパイロット圧として受けて開動作するとともに、前記減圧指令油圧は反対に閉じ側へのパイロット圧として受けるように構成すればよい。
【００１６】
また、一例として前記減圧指令制限手段は、前記電磁比例バルブからリレーバルブへの減圧指令油圧の供給路に接続したリリーフバルブとすることができる。こうすれば、簡単な構成で十分な応答性が得られ、故障が発生したときにも減圧指令油圧が所定圧を超えないように制限することができる。しかも、故障が発生しなければリリーフバルブは動作せず、油圧のロスが生じない。
【００１７】
或いは、前記減圧指令制限手段は、前記電磁比例バルブからの減圧指令油圧ではなくて、該電磁比例バルブへの供給油圧を所定圧以下に制限するものとしてもよい。例えば、油圧源から電磁比例バルブへの油圧の供給路に減圧バルブを介設することによって、減圧指令制限手段を構成することができる。
【００１８】
また、前記減圧指令制限手段の他の例として、前記油圧源の油圧を調整するためのアンロードバルブが設けられている場合には、このアンロードバルブのドレン側と前記電磁比例バルブとを接続して油圧回路を構成し、この油圧回路に前記リリーフバルブを接続してもよい。
【００１９】
さらに、前記減圧指令制限手段の他の例として、前記電磁比例バルブからリレーバルブへの減圧指令油圧の供給路に遮断バルブを介設し、この遮断バルブを、前記ブレーキ指令油圧が所定圧以上になると前記供給路を遮断するように構成してもよい。こうすれば、乗員のブレーキ操作に応じて発生するブレーキ指令油圧が所定圧以上になると、たとえ電磁比例バルブが誤作動していても、その影響を何ら受けることなくブレーキ操作に応じたブレーキ制御油圧が出力されるようになる。
【発明の効果】
【００２０】
本発明によれば、大容量のブレーキシステムにも適用できるとともに、たとえ電気系統が故障しても、ブレーキ操作に応じて必要な制動力が得られるブレーキ油圧制御装置を提供することができる。
【図面の簡単な説明】
【００２１】
【図１】本発明の実施の形態に係るブレーキ油圧制御装置を適用したホイールローダの概略構成図である。
【図２】同ホイールローダの駆動系の構成例を示すブロック図である。
【図３】同ホイールローダのブレーキ制御系統の一例を示すブロック図である。
【図４】実施形態１に係るブレーキ油圧制御装置の一例を示す回路図である。
【図５】同ブレーキ油圧制御装置の動作の流れを示すフローチャートである。
【図６】ブレーキ指令油圧とブレーキ制御油圧との関係を示すグラフ図である。
【図７】本発明の実施形態２に係る図３相当図である。
【図８】同じく図４相当図である。
【図９】本発明の実施形態３に係る図４相当図である。
【図１０】本発明の実施形態４に係る図３相当図である。
【図１１】同じく図４相当図である。
【図１２】同じく図５相当図である。
【図１３】ブレーキ指令油圧発生手段の他の実施形態を示す図である。
【発明を実施するための形態】
【００２２】
以下、本発明の好ましい実施の形態について図面を参照しながら説明する。図１には、実施の形態に係るブレーキ油圧制御装置を備えた車両の一例であるホイールローダ１を、その側方から見て走行駆動系のレイアウトを示す。また、図２には走行駆動系の構成を模式的に示す。以下、この明細書ではブレーキ油圧制御装置をホイールローダ１に適用した場合について説明する。
【００２３】
（ホイールローダの走行駆動系）
この実施形態のホイールローダ１は、図１に示すように運転室２の後方にエンジン３が搭載され、このエンジン３の前部斜め下には遊星ギヤ装置４を間に挟んで多段変速機５が取り付けられている。図示しないが、多段変速機５の内部には前進ギヤと後進ギヤと所定の段数の変速ギヤとが設けられており、それぞれのギヤがクラッチによって選択的に接続されるようになっている。また、多段変速機５の前部からは前方に向かって前部ドライブシャフト６が延びており、後部からは後部ドライブシャフト７が延びている。
【００２４】
それらのドライブシャフト６，７は、それぞれデファレンシャル８，９を介して前後の車輪１０，１１の車軸に連結されており、これら前後の車輪１０，１１を同時に駆動する全輪駆動システムを構成している。なお、図の例ではホイールローダ１の前部にバケット１２及びブーム１３が設けられていて、油圧シリンダ１４，１５等により上下動されるようになっている。また、ホイールローダ１の後部にはファンを備えたラジエータ１６が配設されている。
【００２５】
前記の図１には示さないが、この例ではホイールローダ１の走行駆動系は、動力源としてエンジン３の他に電動発電機１７を備えたハイブリッドタイプのものである。すなわち、図２に模式的に示すように、エンジン３及び電動発電機１７の各出力軸が各々遊星ギヤ装置４のサンギヤ及びリングギヤに接続されており、それらの回転動作が遊星ギヤ装置４により合成されてキャリアから出力され、多段変速機５に伝達されるようになる。
【００２６】
前記電動発電機１７は、インバータ１８を介してキャパシタや２次電池のような蓄電器１９に接続されている。電動発電機１７は、例えばホイールローダ１の加速時には、必要に応じて蓄電器１９から電力の供給を受け電動機として動作する一方、減速時には発電機として動作し、ホイールローダ１の走行による運動エネルギを回生して、蓄電器１９を充電することができる。このような電動発電機１７の動作の切替えは、インバータ１８を介して後述の制御装置２０により行われる。
【００２７】
なお、エンジン３には複数の油圧ポンプ３１（図には１つのみ示す）が駆動連結されており、その何れかは、前記のようにバケット１２を動作させるために油圧シリンダ１５に油圧を供給する。また、別の何れかの油圧ポンプ３１は、後述するようにホイールローダ１の機械式ブレーキ２１を作動させる油圧制御装置の油圧源を構成する。この機械式ブレーキ２１は、一例として、車軸と共に回転するディスクをピストンにより挟持するように構成された、いわゆる密閉湿式ブレーキである。
【００２８】
前記エンジン３、多段変速機５及び電動発電機１７の動作を協調させて、ホイールローダ１の走行状態を適切に制御するために、この実施形態では統合的な制御装置２０が設けられている。この制御装置２０は一例として、乗員によるアクセル及びブレーキの操作量、車速、エンジン回転数、蓄電器１９の蓄電量、その充放電状態等に基づいて、エンジン３及び電動発電機１７を協調させて制御し、さらに、多段変速機５の変速制御も行うものである。
【００２９】
また、制御装置２０は、ホイールローダ１の減速時には、以下に述べるように電動発電機１７を発電動作させて回生制動力を得るとともに、この回生制動力の分は機械式ブレーキ２１による制動力を低下させて、両者を併せたトータルの制動力が乗員のブレーキ操作に見合ったものとなるように制御する、いわゆる協調制御を行う。
【００３０】
（ブレーキ油圧制御装置の実施形態１）
次に、本発明の実施形態１に係るブレーキ油圧制御装置について、図３〜７を参照して詳細に説明する。図３は、機械式ブレーキ及び回生ブレーキを併せたブレーキ制御系統の一例を示すブロック図であり、図４は、機械式ブレーキの油圧制御回路の一例を示す回路図である。また、図５は、ブレーキ油圧制御装置の動作のフローチャートであり、図６、７は、ブレーキ指令油圧、ブレーキ制御油圧（制御油圧）及びパイロット油圧等の関係を示すグラフ図である。
【００３１】
図３に模式的に示すように、この実施形態のブレーキ油圧制御装置は、制御装置２０によって電動発電機１７による回生制動力を制御するとともに、必要に応じて機械式ブレーキ２１への制御油圧を減圧する。具体的には、図示するように油圧制御回路には、油圧源３０（図４参照）から供給される油圧を乗員のブレーキ操作に応じて調整し、ブレーキ指令油圧Ｐ１として出力するブレーキバルブ４０（指令油圧発生手段）と、そのブレーキ指令油圧Ｐ１をパイロット圧として受けて開動作し、油圧源３０から供給される油圧を調整して、機械式ブレーキ２１のブレーキシリンダへブレーキ制御油圧Ｐ２を出力するリレーバルブ５０と、が設けられている。
【００３２】
また、油圧制御回路には、前記のように機械式ブレーキ２１へのブレーキ制御油圧Ｐ２を減圧させるときに前記リレーバルブ５０に、これを閉じ側に動作させるようなパイロット圧である減圧指令油圧Ｐ３を付加するための電磁比例バルブ６０と、その減圧指令油圧Ｐ３が所定圧を超えないように制限する減圧指令制限手段７０と、を備えている。
【００３３】
そして、油圧センサ２２からの電気信号が制御装置２０に入力し、ブレーキ指令油圧Ｐ１の他、車速や蓄電量等の車両状態の情報に基づいて協調ブレーキ演算が行われ、回生制動力と機械式ブレーキ２１の制動力との配分が決められる。この制動力の配分に基づいてブレーキ制御油圧Ｐ２の目標値が決まり、これに対応して決まる電気指令が電磁比例バルブ６０に入力すると、この電磁比例バルブ６０から出力される減圧指令油圧Ｐ３がリレーバルブ５０に付加される。なお、減圧指令油圧Ｐ３の制限については後述する。
【００３４】
−油圧制御回路の構成−
以下、図４を参照して、油圧制御回路の構成について詳細に説明する。まず、前記した油圧源３０は、上述したようにエンジン３によって駆動される油圧ポンプ３１と、その吐出側にアンロードバルブ３２を介して接続されたアキュームレータ３３と、を備えている。油圧ポンプ３１から吐出される圧油は、アンロードバルブ３２によって設定されている所定の圧力状態になるまでは、チェックバルブ３２ａを通過してアキュームレータ３３に充填される。アキュームレータ３３が設定圧になればリリーフバルブ３２ｂが開放され、圧油は無負荷で油タンク３４に戻される。
【００３５】
そのようにして設定圧に維持される油圧源３０は第１の供給油路３５によって、ブレーキバルブ４０の入力ポートに圧油を供給するように接続されている。ブレーキバルブ４０は、図の例ではクローズドセンタタイプの３ポート弁であり、その出力ポートはブレーキ指令油路４１によってリレーバルブ５０に接続されて、そのスプールにパイロット圧としてブレーキ指令油圧Ｐ１を加えるようになっている。なお、図の例ではブレーキ指令油路４１に油圧センサ２２が介設されている。また、ブレーキバルブ４０のドレンポートは油タンク３４に接続されている。
【００３６】
そして、ブレーキバルブ４０は、乗員によるブレーキペダル４２の踏み操作に応動してスプールの位置が変更され、入出力ポートを連通させてブレーキ指令油路４１の油圧（ブレーキ指令油圧Ｐ１）を増大させる増圧位置（図の上位置）と、出力ポートをドレンポートに連通させてブレーキ指令油圧Ｐ１を減少させる減圧位置（図の下位置）と、それらの中間で入出力ポート及びドレンポートをブロックする中立位置と、の何れかに切換えられるようになっている。
【００３７】
すなわち、図示の如くブレーキバルブ４０のスプールは、減圧位置に向かうようにスプリング４３によって押圧付勢されるとともに、ブレーキ指令油路４１からパイロット油路を介してパイロット圧（ブレーキ指令油圧Ｐ１）が作用しており、これらの力とブレーキペダル４２の踏力とが釣り合った位置に制御される。この結果、ブレーキ指令油圧Ｐ１は、スプリング４３の押圧力を除いて、概ねブレーキペダル４２の踏力に比例するものとなる。
【００３８】
そうしてブレーキバルブ４０から出力されるブレーキ指令油圧Ｐ１を受けて、リレーバルブ５０は開き側へ動作する。一例としてリレーバルブ５０は、ブレーキバルブ４０と同じくクローズドセンタタイプの３ポート弁からなる主弁５０ａを有し、その入力ポートには、前記の第１供給油路３５の途中から分岐する第２供給油路３６が接続されて、油圧源３０からの油圧が供給されている。一方、リレーバルブ５０の主弁５０ａの出力ポートには、機械式ブレーキ２１のブレーキシリンダに至るブレーキ制御油路５１が接続され、ドレンポートは油タンク３４に接続されている。
【００３９】
そして、リレーバルブ５０は、主弁５０ａのスプール位置の変更により入出力ポートを連通させて、ブレーキ制御油路５１の油圧（ブレーキ制御油圧Ｐ２）を増大させる増圧位置（図の上位置）と、出力ポートをドレンポートに連通させてブレーキ制御油圧Ｐ２を減少させる減圧位置（図の下位置）と、それらの中間で入出力ポート及びドレンポートをブロックする中立位置と、の何れかに切換えられるようになっている。
【００４０】
この図の例ではリレーバルブ５０は、前記した主弁５０ａのスプールを動作させるためのシリンダ５０ｂを備えており、このシリンダ５０ｂ内にピストンにより区画された一側（図の上側）の油圧室にパイロット圧としてブレーキ指令油圧Ｐ１が供給される。この油圧Ｐ１にピストン断面積を乗じた押圧力がスプリング５２を介して主弁５０ａのスプールに作用し、これを開き側に動作させるようになる。
【００４１】
一方、前記のシリンダ５０ｂにおいて、ピストンにより前記ブレーキ指令油圧Ｐ１とは反対側に区画された油圧室（図の下側の室）には、後述するように油路６２を介して電磁比例バルブ６０からの減圧指令油圧Ｐ３が作用する。この減圧指令油圧Ｐ３は、前記のように主弁５０ａのスプールを開き側に動作させるブレーキ指令油圧Ｐ１に対抗して、リレーバルブ５０の主弁５０ａのスプールを閉じ側に動作させるように作用する。
【００４２】
この結果として前記シリンダ５０ｂは、前記の如くブレーキ指令油圧Ｐ１から減圧指令油圧Ｐ３を減じたものに相当する押圧力を、主弁５０ａのスプールに増圧位置に向かうように、即ち主弁５０ａを開き側に動作させるように作用させる。一方、その主弁５０ａのスプールには、減圧位置に向かうように（閉じ側に動作するように）スプリング５３による押圧力が作用するとともに、ブレーキ制御油路５１からパイロット油路を介してパイロット圧（ブレーキ制御油圧Ｐ２）が作用しており、それらの力が前記シリンダ５０ｂからの押圧力と釣り合うような位置に制御される。
【００４３】
よって、リレーバルブ５０から出力されるブレーキ制御油圧Ｐ２は、基本的には乗員によるブレーキペダル４２の踏力に応じたブレーキ指令油圧Ｐ１に対応するが、電磁比例バルブ６０からの減圧指令油圧Ｐ３が加わるときには、これに応じて減圧される。これにより、減圧されたブレーキ制御油圧Ｐ２を受けて機械式ブレーキ２１の発生する制動力が低下する。
【００４４】
電磁比例バルブ６０については一例として、制御装置２０からの電気指令を受けるソレノイド６１の動作によってスプールの位置が連続的に変更される、いわゆる電磁比例減圧弁であり、その入力ポートには、第２供給油路３６の途中から分岐する第３供給油路３７が接続されて、油圧源３０からの油圧が供給されている。一方、電磁比例バルブ６０の出力ポートには、前記のようにリレーバルブ５０のシリンダ５０ｂに減圧指令油圧Ｐ３を導くための油路６２（以下、減圧指令油路６２という）が接続されている。なお、電磁比例バルブ６０もドレンポートは油タンク３４に接続されている。
【００４５】
そして、後述するように、例えばホイールローダ１の減速時に電動発電機１７を発電動作させて回生制動を行うときに、制御装置２０からの電気指令を受けて励起するソレノイド６１の電磁力が、電磁比例バルブ６０のスプールを開く側へ動作するように作用する。一方、このスプールには反対に閉じ側へ向かってスプリング６３の押圧力が作用するとともに、減圧指令油路６２からパイロット油路を介してパイロット圧（減圧指令油圧Ｐ３）が作用しており、それらの力が前記ソレノイド６１の電磁力と釣り合うようにスプール位置が制御される。よって、減圧指令油圧Ｐ３は制御装置２０からの電気指令に対応する。
【００４６】
さらに、そうして電磁比例バルブ６０からリレーバルブへ減圧指令油圧Ｐ３を導く減圧指令油路６２には、油路７１を介してリリーフバルブ７２が接続されていて、減圧指令油路６２の油圧（減圧指令油圧Ｐ３）が所定圧を超えないように制限する減圧指令制限手段７０を構成している。リリーフバルブ７２は、例えば直動型であり、スプリング７３の押圧力によって閉じ側に付勢されているポペットが所定圧以上で開動作して、油圧を開放する。
【００４７】
こうして減圧指令油路６２にリリーフバルブ７２を接続するのは、制御装置２０等、電気系統の故障に対するフェールセーフのためである。すなわち、上述の如く電磁比例バルブ６０からの減圧指令油圧Ｐ３をリレーバルブ５０に付加して、ブレーキ制御油圧Ｐ２を減圧するようにした場合、万が一、電気系統の故障によって電磁比例バルブ６０が誤作動すると、過大な減圧指令油圧Ｐによってブレーキ制御油圧Ｐ２が過度に減圧されてしまい、機械式ブレーキ２１の効きが不足する事態を招くおそれがある。
【００４８】
そこで、この実施形態のブレーキ油圧制御装置では、前記のように減圧指令油路６２にリリーフバルブ７２を接続して、制御装置２０からの電気指令の大きさに拘わらず、減圧指令油圧Ｐ３が所定圧を超えないように制限している。こうすることによって、万が一、電磁比例バルブ６０が誤作動てもブレーキ制御油圧Ｐ２は過度に減圧されることがない。
【００４９】
−ブレーキ油圧制御装置の動作−
次に、実施形態１のブレーキ油圧制御装置の動作について、図５のフローチャートを参照して具体的に説明する。図の左側には油圧制御回路の動作を、また、右側には電子制御の手順をそれぞれ示す。
【００５０】
まず、ホイールローダ１の乗員がブレーキペダル４２を踏み操作すると（図の左側のステップＳ１でＹＥＳ）、これに応動してブレーキバルブ４０からブレーキ指令油圧Ｐ１が発せられる（ステップＳ２）。そして、そのブレーキ指令油圧Ｐ１を検出する油圧センサ２２からの信号が制御装置２０に出力される（ステップＳ３）とともに、ブレーキ指令油圧Ｐ１を受けたリレーバルブ５０が開動作して、油圧源３０からの供給油圧を調整し、ブレーキ制御油圧Ｐ２を出力するようになる（ステップＳ４）。
【００５１】
一方、図の右側に示すように制御装置２０においては、前記油圧センサ２２からの信号（ブレーキ指令油圧Ｐ１の検出値）の他に、ホイールローダ１の車速や蓄電器１９の蓄電量等の車両状態の情報が入力され（ステップＳ５）、これらの入力値に基づいて回生制動力と機械式ブレーキ２１の制動力との配分を決める協調ブレーキ演算が行われる（ステップＳ６）。
【００５２】
一例として制御装置２０は、蓄電器１９の蓄電量が所定の上限値未満であり、且つ車速があまり低くなくて、効率よく運動エネルギを回生できる状態であれば、電動発電機１７を発電動作させてホイールローダ１の走行による運動エネルギを回生し、蓄電器１９を充電する。一方、蓄電器１９が満充電状態であったり車速が低すぎるときには回生ブレーキ制御は行わず、機械式ブレーキ２１の動作のみとする。
【００５３】
そうして配分した回生制動力が得られるように制御装置２０は、インバータ１８により電動発電機１７の発電動作の状態を制御する回生ブレーキ制御を行うとともに（ステップＳ７）、機械式ブレーキ２１の制動力の配分からブレーキ制御油圧Ｐ２の目標圧を決定し、この目標圧となるようにリレーバルブ５０のスプール位置を制御するための減圧指令油圧Ｐ３を決定して、この減圧指令油圧Ｐ３を出力させるような電気指令を電磁比例バルブ６０へ出力する（ステップＳ８：ブレーキ油圧制限制御）。
【００５４】
図の左側に戻って、前記の電気指令を受けた電磁比例バルブ６０が開動作し、減圧指令油圧Ｐ３を出力する（ステップＳ９）。この減圧指令油圧Ｐ３はリリーフバルブ７２の動作によって所定圧Ｐ３max以下に制限されて（ステップＳ１０）リレーバルブ５０に付加され、このリレーバルブ５０のスプールを閉じ側に動作させて、ブレーキ制御油圧Ｐ２を減圧するようになる。
【００５５】
そのため、前記電気指令に対応する減圧指令油圧Ｐ３がＰ３max以下であれば、リレーバルブ５０からのブレーキ制御油圧Ｐ２は、回生制動力の分だけ減圧されたものとなり、これを受けた機械式ブレーキ２１により発生する制動力は、回生制動力の分だけ低下される（ステップＳ１０）。よって、電動発電機１７による回生制動力と機械式ブレーキ２１による制動力とを合わせたトータルの制動力が、乗員のブレーキ操作に見合ったものとなる。また、機械式ブレーキ２１による制動力の減少分、効果的にホイールローダ１の運動エネルギを回生することができる。
【００５６】
また、例えば、万が一の電気系統の故障によって制御装置２０から電磁比例バルブ６０に過大な電気指令が出力され、これに応じて電磁比例バルブ６０の開度が過度に大きくなったとしても、前記のステップＳ１０におけるリリーフバルブ７２の動作によって、電磁比例バルブ６０からの減圧指令油圧Ｐ３は所定圧Ｐ３max以下に制限されるから、前記リレーバルブ５０からのブレーキ制御油圧Ｐ２が過度に低下してしまう心配はなく、機械式ブレーキ２１の実効が担保される。
【００５７】
そのような油圧制御回路のリレーバルブ５０におけるブレーキ指令油圧Ｐ１とブレーキ制御油圧Ｐ２との関係は、図６に一例を実線のグラフで示すように基本的には比例関係であり、減圧指令油圧Ｐ３が増大するに連れてグラフが下方に平行移動し、同じブレーキ指令油圧Ｐ１に対するブレーキ制御油圧Ｐ２が低下するようになる。
【００５８】
そうしてグラフが下方に平行移動すると、このグラフと横軸（Ｐ２＝０）との交点が右側に即ちブレーキ指令油圧Ｐ１の高い側に移動するので、ブレーキの踏み操作量が小さい間はリレーバルブ５０からブレーキ制御油圧Ｐ２が出力されないようになる。つまり、ブレーキ操作量が小さければ機械式ブレーキ２１が制動力を発生しないようになるので、効率のよい回生制動が可能になる。減圧指令油圧Ｐ３が過大でない正常時であれば、グラフは図に斜線を入れて示す範囲内（Ｐ３＝０〜Ｐ３max）で上下に平行移動する。
【００５９】
一方、例えば電気系統の故障によって制御装置２０から過大な電気指令が出力され、電磁比例バルブ６０が誤作動すると、図に白矢印で示すように減圧指令油圧Ｐ３が過大なものとなって、仮想線のグラフで示すようにブレーキ制御油圧Ｐ２が非常に低くなる。このときブレーキ制御油圧Ｐ２は、ブレーキ指令油圧Ｐ１がかなり高くなっても出力されず、実質的に機械式ブレーキ２１が効かなくなってしまう。
【００６０】
これに対しこの実施形態では、減圧指令油圧Ｐ３が所定圧Ｐ３max以下に制限されており、図には点線で示すようにグラフは正常範囲の下限付近までしか移動しないから、前記のように万が一の故障が起きたとしても、或る程度のブレーキ指令油圧Ｐ１に応じてブレーキ制御油圧Ｐ２が出力され、機械式ブレーキ２１が動作するようになり、乗員のブレーキ操作に応じて必要な制動力を確保することができる。
【００６１】
なお、図の例では点線のグラフに表されるように所定圧Ｐ３maxを、正常範囲に対応する減圧指令油圧Ｐ３の最大値（Ｐ３正常ＭＡＸ）と概ね同じ値に設定しているが、これに限らず少し高めの値としてもよい。
【００６２】
以上、説明したように実施の形態１に係るブレーキ油圧制御装置によると、乗員のブレーキ操作に応動してブレーキバルブ４０からブレーキ指令油圧Ｐ１が出力され、これを受けて開動作するリレーバルブ５０が油圧源３０からの供給油圧を調整して、ブレーキ制御油圧Ｐ２をブレーキシリンダへ出力するように構成したので、例えばホイールローダ１のような大容量の機械式ブレーキ２１にも適用することができる。
【００６３】
また、前記のリレーバルブ５０に対し電磁比例バルブ６０から減圧指令油圧Ｐ３を付加して、閉じ側に動作させることによりブレーキ制御油圧Ｐ２を減圧するように構成したので、この実施形態のようにハイブリッドタイプの走行駆動系に適用すれば、減速時に機械式ブレーキ２１の制動力を適切に減少させ、運動エネルギを効率よく回生することができる。
【００６４】
さらに、万が一の電気系統の故障によって電磁比例バルブ６０が誤作動しても、減圧指令油圧Ｐは所定圧Ｐ３maxを超えないよう減圧指令制限手段７０によって制限されているから、前記のブレーキ制御油圧Ｐ２が過度に減圧されてしまうことはなく、乗員のブレーキ操作に応じて必要な制動力を確保することができる。
【００６５】
（実施形態２）
次に、本発明の実施形態２に係るブレーキ油圧制御装置について図７、８を参照して説明する。両図はそれぞれ上述した実施形態１の図３、４に相当する。なお、この実施形態２のブレーキ油圧制御装置は、実施形態１のものとは減圧指令制限手段７０の構成が異なるのみで、それ以外の構成は同じなので、以下、同一部材には同一の符号を付してその説明は省略する。
【００６６】
そして、この実施形態２のブレーキ油圧制御装置において減圧指令制限手段７０は、図７に模式的に示すように、電磁比例バルブ６０からの減圧指令油圧Ｐ３の増大を制限するのではなく、電磁比例バルブ６０に供給される油圧（元圧）を制限することで、減圧指令油圧Ｐ３が所定圧を超えないように制限している。
【００６７】
具体的には図８に示すように、この実施形態２の油圧制御回路において油圧源３０から電磁比例バルブ６０に油圧を供給する第３供給油路３７には、減圧バルブ７４が介設されている。この減圧バルブ７４は、スプリング７５の押圧力によって開き側に付勢されているスプールが下流側（二次側）からのパイロット圧を閉じ側に受けて、それらの釣り合いによってスプール位置、即ちバルブの開度が変化することにより、下流側の油圧を所定圧にまで減圧するものである。
【００６８】
したがって、この実施形態２によると、前記のように油圧源３０から供給される油圧を所定圧に減圧して電磁比例バルブ６０へ供給するようにしているので、万が一、電気系統の故障によって電磁比例バルブ６０が誤作動しその開度が過大なものになったとしても、ここから出力される減圧指令油圧Ｐ３は所定圧までに制限され、過大なものになることはない。よって前記実施形態１と同様に、乗員のブレーキ操作に応じて必要な制動力を確保することができる。
【００６９】
（実施形態３）
続いて実施形態３に係るブレーキ油圧制御装置について図９を参照して説明する。この図９は、実施形態１の図４及び実施形態２の図８に相当する。なお、実施形態３についても上述した各実施形態とは減圧指令制限手段７０の構成が異なるのみで、それ以外の構成は同じなので、以下、同一部材には同一の符号を付してその説明は省略する。
【００７０】
この実施形態３のブレーキ油圧制御装置は、実施形態２のものと同じく、電磁比例バルブ６０への元圧を制限する減圧指令制限手段７０を設けたものであるが、その具体的な構成が異なっている。すなわち、図示のように油圧源３０から電磁比例バルブ６０に油圧を供給する第３供給油路３７は、第２供給油路３６の途中から分岐するのではなく、油圧源３０のアンロードバルブ３２のドレン側から分岐して、電磁比例バルブ６０まで延びている。そして、この第３油圧供給路３７にリリーフバルブ７６が接続されている。なお、リリーフバルブ７６の構成、動作については説明を省略する。
【００７１】
この実施形態３においても前記の実施形態２と同じく、油圧源３０から電磁比例バルブ６０への供給油圧（元圧）が所定圧以下に制限されているので、万が一の故障によって電磁比例バルブ６０が誤作動たとしても、ここから出力される減圧指令油圧Ｐ３が過大なものとなることはない。なお、実施形態３のリリーフバルブ７６は、実施形態１のものと比べれば容量の大きなものが必要である。
【００７２】
（実施形態４）
次に、実施形態４に係るブレーキ油圧制御装置について図１０〜１２を参照して説明する。これらの各図は各々上述した実施形態１の図３〜５に相当する。なお、実施形態４についても上述した各実施形態とは減圧指令制限手段７０の構成が異なるのみで、それ以外の構成は同じなので、以下、同一部材には同一の符号を付してその説明は省略する。
【００７３】
この実施形態４において減圧指令制限手段７０は、前記の各実施形態のように電磁比例バルブ６０からの減圧指令油圧Ｐ３が所定圧を超えないように制限するものではなく、図１０に模式的に示すように、ブレーキバルブ４０からのブレーキ指令油圧Ｐ１を受けて、これが或る程度以上、大きくなれば減圧指令油圧Ｐ３を遮断するようにしたものである。
【００７４】
すなわち、図１１に示すように、この実施形態４の油圧制御装置において電磁比例バルブ６０からリレーバルブ５０への減圧指令油路６２には、ノーマルオープン型の遮断バルブ７７が介設され、その入力ポートが電磁比例バルブ６０の出力ポートに接続されている。この遮断バルブ７７のスプールはスプリング７８の押圧力によって、入出力ポートを連通させる開位置（図の下位置）に付勢される一方、これとは反対向きにブレーキ指令油路４１からのパイロット圧（ブレーキ指令油圧Ｐ１）を受けていて、このブレーキ指令油圧Ｐ１が或る程度以上、大きくなるとスプールがスプリング７８の押圧力に抗して閉位置（図の上位置）に切替わり、減圧指令油路６２を遮断するようになっている。
【００７５】
図１２は、この実施形態４のブレーキ油圧制御装置の動作について具体的に示すフローチャートである。このフローは、上述した実施形態１に係る図５のフローと概ね同じものなので、同じ処理を示すステップには同一の番号を付して、その説明は省略する。
【００７６】
図示のフローのステップＳ１〜Ｓ９は前記図５のフローと同じであり、乗員によるブレーキペダル４２を踏み操作に応動して、ブレーキバルブ４０からブレーキ指令油圧Ｐ１が発せられると、これを受けてリレーバルブ５０のスプールが開動作するとともに、必要に応じて制御装置２０からの電気指令を受けて電磁比例バルブ６０が開動作し、減圧指令油圧Ｐ３を出力する。この際、ブレーキ指令油圧Ｐ１が、予め設定した値Ｐ＊（設定圧）未満であれば（ステップＳ１００でＹＥＳ）、これを受けていても遮断バルブ７７は動作せず、減圧指令油圧Ｐ３がリレーバルブ５０に付加されることによって（ステップＳ４）、ブレーキ制御油圧Ｐ２が減圧される。
【００７７】
また、ブレーキ指令油圧Ｐ１が前記設定圧Ｐ＊を超えたときには（ステップＳ１００でＮＯ）、これを受けて遮断バルブ７７のスプールが閉位置に切替わり、減圧指令油路６２を遮断する（ステップＳ１０１）。こうして減圧指令油路６２が遮断されれば減圧指令油圧Ｐ３はリレーバルブ５０に付加されないので、リレーバルブ５０からのブレーキ制御油圧Ｐ２は減圧されることなく、ブレーキ指令油圧Ｐ１に比例した大きな圧力となる。
【００７８】
したがって、この実施形態４の場合は乗員が或る程度以上、大きくブレーキペダル４２を踏み込めば、リレーバルブ５０への減圧指令油圧Ｐ３が遮断されることになるので、前記各実施形態と同様に万が一、電気系統の故障等によって電磁比例バルブ６０が誤作動しても、機械式ブレーキ２１の動作による制動力を確保することができる。しかも、このときにはブレーキ制御油圧Ｐ２が減圧されず最大限の制動力を発生することになるので、乗員の急なブレーキ操作にも適切に対応できる。
【００７９】
（他の実施形態）
なお、上述した実施形態の説明は本質的に例示に過ぎず、本発明、その適用物、或いはその用途を制限することを意図するものではない。例えば、前記実施形態１〜４におけるブレーキ油圧制御装置では、いずれもブレーキ指令油圧Ｐ１を発生する指令油圧発生手段として、油圧源３０からの供給油圧を調整し出力するブレーキバルブ４０を用いているが、これに限るものではない。
【００８０】
すなわち、各実施形態のホイールローダ１のように大容量を要求される機械式ブレーキ２１においても、リレーバルブ５０にブレーキ指令油圧Ｐ１を伝達して、そのスプールを開動作させるための圧油の流量は少しでよいので、油圧源３０からの供給油圧を利用する必要はない。よって、図１３に一例を示すように、ブレーキペダル４２の踏み操作に応じて直接、ブレーキ指令油圧Ｐ１を発生するマスタシリンダ４４が利用可能である。
【００８１】
一例としてマスタシリンダ４４には、図示のようにリザーバタンク４５が接続されていて、ブレーキペダル４２の踏み操作によりピストン４４ａが押し込まれると、ブレーキ指令油路４１に圧油を送り出してブレーキ指令油圧Ｐ１を出力する。このときチェックバルブ４６によってリザーバタンク４５との間は遮断されている。その後、ピストン４４ａが後退するときにはリザーバタンク４５から圧油が補充される。ピストン４４ａが所定位置まで後退するとマスタシリンダ４４はリザーバタンク４５とチェックバルブ４６を介さずに連通される。
【００８２】
さらに、前記各実施形態ではブレーキ油圧制御装置を、ハイブリッドタイプの走行駆動系を備えたホイールローダ１に適用しているが、これはホイールローダ１に限定されることはないし、また、ハイブリッドタイプの走行駆動系にも限定されない。例えば、車両は電動車両であってもよいし、反対にエンジンにより走行駆動される車両であって、その走行駆動系に連結されて運動エネルギを回生可能な発電機が設けられているだけでもよい。
【００８３】
さらにまた、前記各実施形態ではブレーキ油圧制御装置を車両の走行駆動系に適用しているが、これに限らず、例えば産業車両や建設機械の油圧アクチュエータの駆動系にも適用することができる。
【産業上の利用可能性】
【００８４】
本発明に係るブレーキ油圧制御装置は、電動発電機による回生ブレーキと協調制御するようにした機械式ブレーキにおいて万が一、電気系統が故障しても乗員のブレーキ操作に応じて必要な制動力が得られるものであり、特に大容量の求められる産業車両や建設機械に好適である
【符号の説明】
【００８５】
１          ホイールローダ（車両）
３          エンジン
１７        電動発電機
２０        制御装置（制御手段）
２１        機械式ブレーキ
３０        油圧源
３２ｂ      アンロードバルブ
４０        ブレーキバルブ（指令油圧発生手段）
５０        リレーバルブ
６０        電磁比例バルブ
７０        減圧指令制限手段
７２        リリーフバルブ
７４        減圧バルブ
７６        リリーフバルブ
７７        遮断バルブ
【図１】
0005438589.tif 000002
【図２】
0005438589.tif 000003
【図３】
0005438589.tif 000004
【図４】
0005438589.tif 000005
【図５】
0005438589.tif 000006
【図６】
0005438589.tif 000007
【図７】
0005438589.tif 000008
【図８】
0005438589.tif 000009
【図９】
0005438589.tif 000010
【図１０】
0005438589.tif 000011
【図１１】
0005438589.tif 000012
【図１２】
0005438589.tif 000013
【図１３】
0005438589.tif 000014